(57)【要約】【課題】前面枠に対しサッシュを平行移動させて開き、透明板を簡単かつ迅速に交換する。【解決手段】 パチンコ機の機枠１に前面枠２を開閉可能に設け、前面枠２の内側奥部にサッシュ４を配置し、サッシュ４の内側に透明板５を取出口６より脱着可能に取り付ける。サッシュ４を平行リンク機構１２により前面枠２に対し前後に平行移動可能に支持し、前面枠２の開放時に、サッシュ４をばね部材で後方へ押し出し、取出口６を前面枠２から開放する。【選択図】図４
2004073888.tif 000002
【特許請求の範囲】
【請求項１】
機枠に対し、ヒンジを軸にして近接する方向および離隔する方向に開平運動可能な前面枠の内側にサッシュを配置し、サッシュを平行移動手段を介して前面枠に対し前後方向に平行移動可能に支持し、サッシュの内側に透明板を取り付けてなる遊技機の透明板取付構造であって、
　前記平行移動手段が、
　前下がりの傾斜溝を形成し、その傾斜溝の前端および後端に係止部及び保持部をそれぞれ下向きに形成してなり、前面枠のコーナ部内部に取り付けられた状態で、前面枠に対しサッシュを着脱可能に支持し、かつ平行移動可能に案内する４個のＬ字状の案内板と、
　サッシュの各コーナ部に軸着された４個のローラとから構成された案内機構を含んでいることを特徴とする遊技機の透明板取付構造。
【発明の詳細な説明】
【技術分野】
【０００１】
　本発明は、パチンコ機等の遊技機において透明板を前面枠の内側に取り付けるための構造に関するものである。
【背景技術】
【０００２】
　従来、パチンコ機において、開閉可能な前面枠の内側にサッシュを側部の垂直軸線の周りで回動可能に支持し、サッシュの内側にガラス等の透明板を脱着可能に取り付けた技術が知られている。透明板の交換に際しては、前面枠を開いたのち、サッシュを回動し、透明板をサッシュ上端の取出口から出し入れする。また、透明板を横方向に出し入れする技術も特許文献１等により公知である。
【０００３】
【特許文献１】特開平７−１４４０５６号公報
【発明の開示】
【発明が解決しようとする課題】
【０００４】
　ところが、従来の透明板取付構造によると、透明板の交換に際し、前面枠を開く工程とサッシュを回動する工程との２工程が必要で、しかも、サッシュはヒンジ側部分が前面枠とラップしない位置まで大きく回動する必要があって、操作が面倒で時間もかかるという問題点があった。
【０００５】
　そこで、本発明の課題は、透明板を簡単かつ迅速に交換できる遊技機の透明板取付構造を提供することにある。
【課題を解決するための手段】
【０００６】
　上記の課題を解決するための本発明の構成は、機枠に対し、ヒンジを軸にして近接する方向および離隔する方向に開平運動可能な前面枠の内側にサッシュを配置し、サッシュを平行移動手段を介して前面枠に対し前後方向に平行移動可能に支持し、サッシュの内側に透明板を取り付けてなる遊技機の透明板取付構造であって、前記平行移動手段が、前下がりの傾斜溝を形成し、その傾斜溝の前端および後端に係止部及び保持部をそれぞれ下向きに形成してなり、前面枠のコーナ部内部に取り付けられた状態で、前面枠に対しサッシュを着脱可能に支持し、かつ平行移動可能に案内する４個のＬ字状の案内板と、サッシュの各コーナ部に軸着された４個のローラとから構成された案内機構を含んでいることを特徴とする。
【発明の効果】
【０００７】
　以上詳述したように、本発明の透明板取付構造によれば、サッシュを前面枠に対し前後方向に平行移動させる手段を設けたので、透明板を簡単かつ迅速に交換できるという優れた効果を奏する。
【発明を実施するための最良の形態】
【０００８】
　以下、本発明をパチンコ機に具体化した実施形態を図面に基づいて説明する。図１〜図４はパチンコ機の概観を示すものである。このパチンコ機においては、機枠１に裏面枠７が開閉可能に設けられ、裏面枠７に対し前面枠２がヒンジ３により開閉可能に設けられ、前面枠２の内側奥部にサッシュ４が配置されている。サッシュ４の内側には遊技領域を覆うガラス板、プラスチック板等の透明板５が脱着可能に取り付けられ、サッシュ４の上端には透明板５の取出口６が形成されている。裏面枠７の後側には機構部８が設置されている。機枠１の下部前面には上皿９、下皿１０、発射ハンドル１１等が配設されている。なお、ヒンジ３としては、図１に示す内部隠蔽型のもの、図３に示す外部露出型のもの、その他各種のヒンジを使用可能である。
【０００９】
　前面枠２の上部及び下部には、サッシュ４を前面枠２の開閉に伴って前後方向に平行移動可能な平行移動手段が設けられている。この平行移動手段は、図５及び図６に詳細に示すように、前面枠２に対しサッシュ４を平行移動可能に支持する平行リンク機構１２と、前面枠２に対しサッシュ４を後方へ付勢するばね部材としての巻ばね１３とから構成されている。平行リンク機構１２は、前面枠２の左右両側において前面枠２とサッシュ４とを連結するリンク１４を備えている。巻ばね１３は、前面枠２側においてリンク１４の支軸１５に係着され、リンク１４を図において反時計方向へ付勢している。
【００１０】
　そして、前面枠２の閉成時には、図３及び図５に示すように、サッシュ４が機枠１により巻ばね１３の付勢力に抗して前面枠２の内側奥部に押し込まれ、前面枠２の開放時には、図４及び図６に示すように、サッシュ４が巻ばね１３の付勢力で平行リンク機構１２を介して前面枠２と平行に後方へ押し出され、取出口６が前面枠２から開放されるようになっている。従って、前面枠２を開けば、サッシュ４が自動的に開放されるので、透明板５を１工程で簡単かつ迅速に交換することができる。
【００１１】
　図７〜図１５は平行移動手段の別の実施例を示すものである。図７に示す平行移動手段においては、サッシュ４をよりスムーズに平行移動できるように、上下両方又は一方の平行リンク機構１２に、左右のリンク１４を連結する連接棒１７が付設されている。図８に示す平行移動手段においては、平行リンク機構１２に屈伸リンク１８が用いられている。図９に示す平行移動手段においては、屈伸リンク１８が前面枠２及びサッシュ４の左右両側に設けられている。なお、屈伸リンク１８には、前面枠２に対しサッシュ４を後方へ付勢するばね部材（図示略）が組み込まれている。また、左右又は上下の屈伸リンク１８の間に前記連接棒を架設してもよい。これら何れの実施例によっても、前面枠２の開放に伴いサッシュ４を自動的に開放して、透明板５を１工程で簡単かつ迅速に交換することができる。
【００１２】
　図１０〜図１３に示す平行移動手段は、前面枠２の開閉運動をサッシュ４の平行運動に変換するギヤ機構２０を備えている。このギヤ機構２０は、ヒンジ３の近傍において機枠１に固定されたカーブギヤ２１と、カーブギヤ２１に噛合するように前面枠２に回転可能に支持された小径ピニオン２２と、小径ピニオン２２と同軸上に設けられた大径ピニオン２３と、大径ピニオン２３に噛合するようにサッシュ４のヒンジ３側面に固着された前後に長いラック２４とから構成されている。なお、ヒンジ３と反対側において、サッシュ４は前面枠２に対し図示しないガイドにより前後方向にスライド可能に支持されている。
【００１３】
　そして、前面枠２の開放時には、図１２及び図１３に示すように、カーブギヤ２１により小径ピニオン２２が図において反時計方向へ回転され、大径ピニオン２３によりラック２４が後方へ送り出され、サッシュ４が前面枠２と平行に後退され、取出口６が前面枠２から開放されるようになっている。従って、この実施例によっても、前面枠２の開放に伴いサッシュ４を自動的に開放して、透明板５を１工程で簡単かつ迅速に交換することができる。
【００１４】
　図１４及び図１５に示す平行移動手段は、前面枠２に対しサッシュ４を着脱可能に支持し、かつ平行移動可能に案内する案内機構２６を備えている。この案内機構２６は前面枠２の各コーナ部内側に取り付けられた４枚のＬ字形の案内板２７と、サッシュ４の各コーナ部に軸着された４個のローラ２８とから構成されている。各案内板２７には、ローラ２８を介してサッシュ４を前後方向に平行移動案内する前下がりの傾斜溝２９が形成されている。傾斜溝２９の中間部には、ローラ２８より大径の挿脱部３０が上向きに設けられるとともに、傾斜溝２９の後端及び前端には、ローラ２８より小径の係止部３１及び保持部３２がそれぞれ下向きに設けられている。
【００１５】
　従って、この案内機構２６によれば、図１５の（ａ）に示すように、ローラ２８を挿脱部３０に挿脱して、サッシュ４を前面枠２に対し着脱することができる。また、同図の（ｂ）に示すように、ローラ２８を係止部３１に係止すれば、サッシュ４を前面枠２内側の閉成位置に配置することができる。さらに、閉成位置のサッシュ４を手で後方へ押し、同図（ｃ）に示すように、ローラ２８を保持部３２に嵌合すれば、サッシュ４を前面枠２の後方に速やかに開放することができ、この開放位置で透明板５を簡単に交換することができる。
【００１６】
　なお、上記実施形態では、サッシュ４の上端に取出口６を設けたが、取出口をヒンジと反対側のサッシュの側面に設け、ここから透明板を横方向に出し入れして交換することもできる。また、図１４及び図１５に示した案内機構２６を用いる場合には、サッシュ４の内側に透明板５を固定的に取り付け、この一体品を前面枠２に脱着して交換することもできる。その他、本発明をスロットマシン等の各種遊技機に適用するなど、本発明の趣旨を逸脱しない範囲で各部の形状並びに構成を適宜に変更して具体化することも可能である。
【産業上の利用可能性】
【００１７】
　本発明の遊技機の透明板取付構造は、パチンコ機等の遊技機において透明板を前面枠の内側に取り付けるための構造として好適に用いることができる。
【図面の簡単な説明】
【００１８】
【図１】本発明の一実施形態を示すパチンコ機の斜視図である。
【図２】遊技盤を取り付けた状態のパチンコ機の斜視図である。
【図３】同パチンコ機の平面図である。
【図４】同パチンコ機を前面枠及びサッシュの開放状態で示す平面図である。
【図５】平行移動手段を詳細に示す図２の要部拡大図である。
【図６】同手段の作用を示す図３の要部拡大図である。
【図７】平行移動手段の別の実施例を示す前面枠の斜視図である。
【図８】平行移動手段のさらに別の実施例を示す前面枠の斜視図である。
【図９】平行移動手段のさらに別の実施例を示す前面枠の斜視図である。
【図１０】平行移動手段のさらに別の実施例を示すギヤ機構の斜視図である。
【図１１】同ギヤ機構の平面図である。
【図１２】同ギヤ機構を前面枠の開放途中状態で示す平面図である。
【図１３】同ギヤ機構を前面枠の全開状態で示す平面図である。
【図１４】平行移動手段のさらに別の実施例を示す案内機構の斜視図である。
【図１５】同案内機構の作用を示す側面図である。
【符号の説明】
【００１９】
１・・機枠、２・・前面枠、４・・サッシュ、５・・透明板、６・・取出口、１２・・平行リンク機構、１３・・巻ばね、１４・・リンク、１７・・連接棒、１８・・屈伸リンク、２０・・ギヤ機構、２１・・カーブギヤ、２２，２３・・ピニオン、２４・・ラック、２６・・案内機構、２７・・案内板、２８・・ローラ、２９・・傾斜溝、３３・・遊技盤。
【図１】
2004073888.tif 000003
【図２】
2004073888.tif 000004
【図３】
2004073888.tif 000005
【図４】
2004073888.tif 000006
【図５】
2004073888.tif 000007
【図６】
2004073888.tif 000008
【図７】
2004073888.tif 000009
【図８】
2004073888.tif 000010
【図９】
2004073888.tif 000011
【図１０】
2004073888.tif 000012
【図１１】
2004073888.tif 000013
【図１２】
2004073888.tif 000014
【図１３】
2004073888.tif 000015
【図１４】
2004073888.tif 000016
【図１５】
2004073888.tif 000017